(57)【要約】【課題】コンパクト化と光コネクタ接続切替時の作業性向上を共に実現できる光接続箱を提供する。【解決手段】融着接続トレイ２３は光接続箱２１の本体パネル２２に直接設置されている。ＦＯコード配線光モジュール２４はアダプタ２７を有するケース２８内に、端末処理を施したＦＯコードの反対側の光コネクタを引き入れかつアダプタ２８に内側から嵌合させた構成であり、また、モジュール支持板３１上に設置されて、融着接続トレイ２３の上方に配されている。光モジュール２４は枢軸３５を中心として回転可能である。導入側光ケーブルの光ファイバとＦＯコードの端末とを融着接続し、融着接続トレイ２３内に収納するだけで、光接続箱２１の光配線が完了する。光モジュール２４が融着接続トレイ２３の上に配されているので、省スペースが図られ光接続箱のコンパクト化を実現でき、また、光コネクタ接続切替時の作業性が良好である。【選択図】図１
2007140302.tif 000002
【特許請求の範囲】
【請求項１】
導入側光ケーブルから取り出した光ファイバと一端側に光コネクタを取り付けたＦＯコードの他端とを融着接続する融着接続トレイと、ケース側面部に光コネクタ接続可能な複数のアダプタ部を有するケース内に前記ＦＯコードの一端側の光コネクタを引き入れかつ前記アダプタに嵌合させたＦＯコード配線光モジュールとを備えた光接続箱であって、
前記融着接続トレイを光接続箱の本体パネルに設置し、前記ＦＯコード配線光モジュールを支持するモジュール支持板を、融着接続トレイの側方にて本体パネルと平行なヒンジ軸の回りを回転可能に、かつ、前記ＦＯコード配線光モジュールが概ね融着接続トレイの上方に配されるように取り付け、前記ＦＯコード配線光モジュールは、ケースのアダプタ側の側面部と反対側の片隅部に軸穴を有して、前記モジュール支持板側の枢軸に回転可能に枢支されていることを特徴とする光接続箱。
【請求項２】
前記ＦＯコード配線光モジュールは、ケースのアダプタ側の側面部と反対側の両隅部に軸穴を有して、ケースの前記２つの軸穴のいずれか一方がモジュール支持板側の枢軸に回転可能に枢支されていることを特徴とする光接続箱。
【発明の詳細な説明】
【技術分野】
【０００１】
この発明は、例えば大規模ビルやマンション等の各階に設置する光接続箱等に適用される光接続箱に関する。
【背景技術】
【０００２】
例えば大規模ビルやマンション等の各階に設置する光接続箱として、導入側光ケーブル（外線側光ケーブル）から取り出した光ファイバ心線と、光ファイバテープの一端側に光コネクタを取り付けたＦＯ（ファンアウト）コードの他端とを融着接続し、ＦＯコードの前記光コネクタと導出側光ファイバコードとをコネクタ接続する配線方式が広く採用されている。
この種の一般的な光接続箱では、施工時に導入側光ケーブルから取り出した光ファイバ心線とＦＯコードの他端とを融着接続する際、ＦＯコードの他端の端末処理（被覆除去その他の処理）をする必要があり、そのため、施工に時間を要していた。
【０００３】
そのようなＦＯコードの端末処理を不要にする光接続箱として、例えば、図５（イ）、（ロ）に示すように、複数のＦＯコード配線光モジュール４を本体パネル８に積層して設置した光接続箱５がある。ＦＯコード配線光モジュール４は、ケース側面部に光コネクタ接続可能な複数のアダプタ２部を有するケース３内に、光コネクタ１ａと反対側の端末処理を済ませたＦＯコード１の前記光コネクタ１ａを引き入れかつ前記アダプタ２に嵌合させた構成である。導出側光ファイバコード７とＦＯコード１とは、単心の導出側光ファイバコード７の端末に取り付けた光コネクタ７ａをアダプタ２に嵌合させることでコネクタ接続される。
【０００４】
この光接続箱５では、導入側光ケーブル９から取り出した複数の光ファイバ１０（図では１本のみ示した）と、ＦＯコード配線光モジュール（以下、場合により光モジュール又はモジュールと略す）４のＦＯコード１とを融着接続トレイ１１において融着接続（融着接続部を１２で示す）するだけで、光接続箱５の光配線が可能なので、施工能率が向上する。
また、前記光モジュール４は、図５（ロ）にも示すように、本体パネル８側に取り付けた枢軸１３を中心として個別に回転可能にされており、光コネクタの接続切替（光配線の切替）を行う際、回転させてアダプタ２部を外側（図５（ロ）で下側）に向けることができ、コネクタ挿抜が容易になる（特許文献１）。
【０００５】
また、上記の光接続箱５をコンパクトにするために、図６に簡略化して示した光接続箱５’のように、接続箱本体８’にＦＯコード配線光モジュール４’を積層して設置し、その上に被さるように融着接続トレイ１１’を配置する構成とするものがある。なお、融着接続トレイ１１’は接続箱本体８’側に固定されている。
【特許文献１】特開2001-194536
【発明の開示】
【発明が解決しようとする課題】
【０００６】
上記従来の単なるＦＯコードを用いる方式は、ＦＯコードの端末処理をする必要があり、施工に時間を要する。
また、図５に示した構成の光接続箱５では、光モジュール４を用いていることで、ＦＯコード１の端末処理が不要となり、施工能率が向上するが、融着接続トレイ１１及び光モジュール４が接続箱本体８内でスペースを占めるので、光接続箱の小型化を十分に図ることは困難である。
一方、図６に示した光接続箱５’は、コンパクト化を実現できるが、光モジュール４’の上に、接続箱本体８’側に固定された融着接続トレイ１１’があるので、光モジュール４’の増設（積層数を増すこと）が難しく、また一番奥側の光モジュール４’の光コネクタ接続切替時のコネクタ挿抜の作業性が良くない。
【０００７】
本発明は上記従来の欠点を解消するためになされたもので、光接続箱のコンパクト化を図ることができ、しかも、光コネクタ接続切替時の作業性が良好な光接続箱を提供することを目的とする。
【課題を解決するための手段】
【０００８】
上記課題を解決する本発明は、導入側光ケーブルから取り出した光ファイバと一端側に光コネクタを取り付けたＦＯコードの他端とを融着接続する融着接続トレイと、ケース側面部に光コネクタ接続可能な複数のアダプタ部を有するケース内に前記ＦＯコードの一端側の光コネクタを引き入れかつ前記アダプタに嵌合させたＦＯコード配線光モジュールとを備えた光接続箱であって、
前記融着接続トレイを光接続箱の本体パネルに設置し、前記ＦＯコード配線光モジュールを支持するモジュール支持板を、融着接続トレイの側方にて本体パネルと平行なヒンジ軸の回りを回転可能に、かつ、前記ＦＯコード配線光モジュールが概ね融着接続トレイの上方に配されるように取り付け、前記ＦＯコード配線光モジュールは、ケースのアダプタ側の側面部と反対側の片隅部に軸穴を有して、前記モジュール支持板側の枢軸に回転可能に枢支されていることを特徴とする。
【０００９】
請求項２は、請求項１の光接続箱におけるＦＯコード配線光モジュールが、ケースのアダプタ側の側面部と反対側の両隅部に軸穴を有して、ケースの前記２つの軸穴のいずれか一方がモジュール支持板側の枢軸に回転可能に枢支されていることを特徴とする。
【発明の効果】
【００１０】
本発明によれば、光接続箱にＦＯコード配線光モジュールが予め実装されているので、現場でＦＯコードの端末処理をする必要がなくなり、施工の際は、導入側の光ファイバ心線とモジュール側の光ファイバ心線（ＦＯコード）とを融着するだけでよい。
そして、光モジュールが融着接続トレイの上に配されるレイアウトなので、接続箱本体内の省スペースが図られて光接続箱のコンパクト化が図られるとともに、光コネクタ接続切替時のモジュール側のコネクタ挿抜の作業性が良好であり、かつ、光モジュールの増設を容易に行うことができる。
【００１１】
また、請求項２によれば、光モジュールが、ケースのアダプタ側と反対側の両隅部にあるいずれか一方の軸穴に通した枢軸を中心にして回転可能なので、光コネクタ接続切替作業のための回転方向として２つの回転方向のいずれかを一方を選択して設置することができ、光モジュールのレイアウトの変更が容易になり、光配線の自由度が向上し、光モジュールの汎用性が高くなる。
【発明を実施するための最良の形態】
【００１２】
以下、本発明を実施した光接続箱について、図面を参照して説明する。
【実施例１】
【００１３】
図１は本発明の一実施例の光接続箱（但しＦＯコードを装着していない状態、かつカバーを外した状態）２１の斜視図、図２は図１の光接続箱（ＦＯコードを装着した状態）２１の簡略化して示した正面図、図３は図２の右側面図、図４は図２のＡ矢視図である。これらの図において、２２は本体パネル、２３は融着接続トレイ、２４はＦＯコード配線光モジュール、２５はＦＯ（ファンアウト）コードである。図示例のＦＯコード２５は４心光ファイバテープ心線から分離させた各単心光ファイバにそれぞれ光コネクタ２６を取り付けたものである。このＦＯコード２５の端末（他端側）は予め、そのままで融着接続ができるように被覆除去等の端末処理を施している。
【００１４】
ＦＯコード配線光モジュール（以下、場合により光モジュールと略す）２４は、ケース側面部に光コネクタ接続可能な複数のアダプタ２７を有するケース２８内に前記ＦＯコード２５の一端側の光コネクタ２６を引き入れかつ前記アダプタ２７に嵌合させた構成である。図示例のアダプタ２７は２連アダプタの片側部分である。
【００１５】
前記融着接続トレイ２３は光接続箱２１の本体パネル２２に直接設置されている。この融着接続トレイ２３の側方で融着接続トレイ２３の長さ方向に沿って、Ｌ形断面の支持板取付部材３０を固定し、この支持板取付部材３０に、図示例では３つの光モジュール２４を積層支持したモジュール支持板３１をヒンジ３２により、本体パネル２２の面と直角な方向に回転可能に取り付けている。３３はモジュール支持板３１を本体パネル面と平行な状態に受ける受け部材である。モジュール支持板３１上に積層された光モジュール２４は、モジュール支持板３１を倒して受け部材３３で受けられた閉状態では、概ね融着接続トレイ２３の上方に配されるように配置されている。図２の符号３４はモジュール支持板３１を受け部材３３に固定するビスである。
また、各光モジュール２４は、ケース２８のアダプタ２７側の側面部と反対側の片隅部（実施例では図２の右隅部）に軸穴２８ａを有して、モジュール支持板３１に固定した枢軸３５に図２の矢印ａ方向に個別に回転可能に枢支されている。
また、図１において、符号３６は光モジュール２４を収納位置（図１の状態）に係止するための係止片で、この係止片３６をモジュール支持板３１側に固定した係止軸３７に嵌合させて、光モジュール２４がみだりに回転しないようにしている。
また、図３、図４において、３８は光接続箱２１のカバー、３９及び４０はカバー３８を取り付けるカバー取付部材である。
【００１６】
なお、図示例のケース２８は、アダプタ２７側の側面部と反対側の左隅部（図２の左隅部）にも軸穴２８ａ’を設けており、前記軸穴２８ａの代わりにこの軸穴２８ａ’に枢軸を通すことで、図２の矢印ａ方向と逆方向に回転可能な構成とすることも可能である。
したがって、光コネクタ接続切替作業のための回転方向として２つの回転方向のいずれかを一方を選択して設置することができ、光モジュールのレイアウトの変更が容易になり、光配線の自由度が向上し、光モジュールの汎用性が高くなる。例えば、光接続箱２１の取付箇所が壁面の端縁部（特に奥側にスペースのない端縁部）の場合、光モジュール２４の回転方向が奥側になっていると、光コネクタ接続切替時に光モジュール２４を回転させても、アダプタ２７が奥側に向くことになりコネクタ挿抜ができない状態となる場合もあるが、そのような場合に、光モジュール２４の回転方向を変えることで対応できる。すなわち、コネクタ挿抜が容易になる回転方向に変えることができる。
【００１７】
例えば大規模ビルやマンション等の各階の壁に設置する光接続箱等として上記の光接続箱２１を設置する場合、本体パネル２２をその四隅の取付穴２２ａにて壁に取り付ける。そして、導入側光ケーブル（ないし線路側光ケーブル）９から取り出した、実施例では４心の光ファイバ１０（図示例では１本のみを示す）と、４心のＦＯコード２５の他端（光コネクタ２６と反対側の端末）とを融着接続（融着接続部を１２で示す）し融着接続トレイ２３に収納する。その際、ＦＯコード２５の端末処理は予め済ませているので、現場でＦＯコード２５の端末処理を行う必要はなく、施工性が良好である。なお、融着接続部１２を融着接続トレイ２３に収納する際には、モジュール支持板３１をヒンジ３２を中心として上方に回転させて開き、融着接続トレイ２３の上方を開放する。
導出側については、単心の導出側光ファイバコード７の先端の光コネクタ７ａを光接続箱２１の所定のアダプタ２７に嵌合させると、その導出側光ファイバコード７とＦＯコード２５の所定の光ファイバ心線とが光コネクタ接続され、光接続箱２１の光配線は完了する。
【００１８】
また、光接続箱２１を設置後に光コネクタ７ａの接続切替を行う必要が生じた場合には、光コネクタ接続切替を行おうとする光コネクタ７ａのある光モジュール２４を枢軸３５を中心として図２の矢印ａのように回転させて、アダプタ２７のある側を横向きにすると、光コネクタ接続切替のためのコネクタ挿抜作業を行い易い。
この場合、光モジュール２４が融着接続トレイ２３の上に配置されているので、図６に示した従来の光接続箱５’のように光モジュール４’が融着接続トレイ１１’の下に配置されたものと異なり、コネクタ挿抜の作業の障害になることがなく、コネクタ挿抜の作業性が良好である。また、光モジュール２４の積層方向に障害物（図６の従来例では光モジュール４’の上にある融着接続トレイ５’）がないので、光モジュール２４の増設も容易に行うことができる。
また、光モジュール２４が融着接続トレイの上に配されるレイアウトなので、図５に示した従来の光接続箱５と比較して、接続箱本体内の省スペースが図られ、光接続箱をコンパクトにすることができる。
【実施例２】
【００１９】
なお、実施例では３つの光モジュール２４を積層しているが、その数は任意である。光モジュール２４の数がそれぞれ例えば１つ（１層）、２つ（２層）、３つ（３層）の場合は、当該光接続箱２１が対応可能な導入側光ケーブル９の心数はそれぞれ４心、８心、１２心となる。
また、実施例では各光モジュール２４に４心のＦＯコード２５を用いているが、ＦＯコード２５の心数も適宜の心数のものを用いることができる。ＦＯコード２５の心数により、当該光接続箱２１が対応可能な導入側光ケーブル９の心数も変わる。
【図面の簡単な説明】
【００２０】
【図１】本発明の一実施例の光接続箱（但しＦＯコードを装着していない状態）の斜視図である。
【図２】図１の光接続箱（但しＦＯコードを装着した状態）の正面図である。
【図３】図２の右側面図である。
【図４】図２のＡ矢視図である。
【図５】従来の光接続箱を示すもので、（イ）は正面図、（ロ）は（イ）の要部のＢ−Ｂ断面図である。
【図６】他の従来の光接続箱の簡略化して示した正面図である。
【符号の説明】
【００２１】
７  導出側光ファイバコード
７ａ  光コネクタ
９  導入側光ケーブル
１０  光ファイバ
１２  融着接続部
２１  光接続箱
２２  本体パネル
２３  融着接続トレイ
２４  光モジュール（ＦＯコード配線光モジュール）
２５  ＦＯ（ファンアウト）コード
２６  光コネクタ
２７  アダプタ
２８  ケース
２８ａ、２８ａ’  軸穴
３０  支持板取付部材
３１  モジュール支持板
３２  ヒンジ
３３  受け部材
３５  枢軸
【図１】
2007140302.tif 000003
【図２】
2007140302.tif 000004
【図３】
2007140302.tif 000005
【図４】
2007140302.tif 000006
【図５】
2007140302.tif 000007
【図６】
2007140302.tif 000008